(57)【特許請求の範囲】
【請求項１】
主装置（１）を介して、インターホン親機（６）と端末（３１、３２、・・・、３ｊ）の間で、データを送受信し、通話などの機能を実現するインターホン装置であって、
前記インターホン装置とＬＡＮ設備（７、１５）を統合化して、前記端末内のＬＡＮインターフェース（３ｅ）で、ＬＡＮ機器（Ｐｃａ〜Ｐｃｎ）を接続すると共に、前記端末内のインターホン子機回路（３ｃ）を前記ＬＡＮ設備に接続して、相互に情報交換を可能にし、
前記主装置と前記端末間を４対８芯ケーブル（１７）のうちの一方の２対４芯ケーブル（１６ａ）で接続し、他の２対４芯ケーブル（１６ｂ）を前記主装置と前記端末のＬＡＮインターフェース間のＬＡＮ配線として使用し前記主装置と前記端末間の２対４芯ケーブルが断線または短絡して前記主装置と前記端末間の回線が切断されたとき前記ＬＡＮ配線を前記主装置と前記端末間の２対４芯ケーブルのバックアップとして切替える切替回路（２ｄ、３ｆ）を備えたことを特徴とするインターホン装置。
【発明の詳細な説明】
【０００１】
【発明の属する技術分野】
本発明は、インターホン装置に関し、特にインターホンにセキュリティー装置及びローカルエリアネットワーク（ＬＡＮ）の設備等を統合化させたインターホン装置に係わる。
【０００２】
【従来の技術】
従来から、各端末間で通話を行うための音声信号の送受を行うと共に、火災報知器、ガス漏れ、防犯センサ等からのデータを入力し、各端末、親機等に設けられた報知手段により警報を行うセキュリティー装置を備えたインターホン装置に、更に、ローカルエリアネットワーク（以下、ＬＡＮと称す）の設備を統合させ、インターホン機能、セキュリティー機能、ＬＡＮ機能を併有したインーホン装置があった。
【０００３】
この種のインターホン装置としては、図４に示すように、音声信号の入出力を行うと共にセキュリティー機器の各センサを備えた端末９１、９２、・・・、９ｊと、端末の呼出しを行う親機１１と、親機１１及び端末９１、９２、・・・、９ｊの制御を行う主装置８とを有し、端末９１、９２、・・・、９ｊ及び主装置８は伝送線１０によって接続される。
【０００４】
更に、併設されているＬＡＮ設備は、各端末９１、９２、、９２、・・・、９ｊの入出力ポートに接続されるコンピュータ、プリンタ等のＬＡＮ機器Ｐ１、Ｐ２、・・・、Ｐｊと、ＬＡＮ機器Ｐ１、Ｐ２、・・・、Ｐｊからのデータを蓄積、制御するサーバ１２と、サーバ１２と各ＬＡＮ機器Ｐ１、Ｐ２、・・・、Ｐｊを接続するためのハブ１３ａ、１３ｂ、１３ｃとを備え、サーバ１２とハブ１３ａ間、ハブ１３ａと各ハブ１３ｂ、１３ｃ間、各ハブ１３ｂ、１３ｃとＬＡＮ機器Ｐ１、Ｐ２、・・・、Ｐｊ間はそれぞれ伝送線１４ａ、１４ｂ、・・・、１４ｉによって接続される。
【０００５】
このようなインターホン装置における各機能について説明する。
【０００６】
先ず、インターホン機能について説明する。
【０００７】
親機１１において、端末９１の呼出し操作を行うと、親機１１より呼出コマンドが主装置８に送出され、主装置８から端末９１へ呼出コマンドが送出される。この呼出コマンドは伝送線１０を伝送され、呼出コマンドを受信した端末９１は呼出音を鳴動させる。端末９１で応答すると、端末９１から応答コマンドが主装置８へ送出される。主装置８において応答コマンドが受信されると、親機１１と端末９１の通話チャンネルが接続され、通話路が形成される。終話については、親機１１または端末９１の何れかが、終話コマンドを主装置８へ送出し、主装置８において終話コマンドが受信されると、端末９１の通話チャンネルが切断されることによって終話される。上述の動作は各端末９２、９３、・・・、９ｊにおいて同様に行われる。
【０００８】
次に、セキュリティー機能について説明する。
【０００９】
各端末９１、９２、・・・、９ｊに接続されるセキュリティー装置のセンサにおいて、火災、ガス漏れ等が検出されると、主装置８へ検出信号が送出される。伝送線１０を伝送された検出信号が主装置８に入力されると、主装置８から親機１１及び当該端末９１〜９ｊへ検出信号に相当した表示信号が出力され、親機１１、当該端末９１〜９ｊにおいて表示されると共に、検出信号に応じた制御信号が主装置８から当該端末９１〜９ｊに接続されるセキュリティー装置の報知手段等へ出力される。制御信号は伝送線１０を介してセキュリティー装置の報知手段に入力され、警報音を鳴動させ、表示灯を点滅させる等の作動により、異常を報知する。
【００１０】
また、ＬＡＮ機能について説明する。
【００１１】
端末９１のＬＡＮ機器Ｐ１から送出される情報データ信号は、伝送線１４ｄ、ハブ１３ｂ、伝送線１４ｂ、ハブ１３ａ、伝送線１４ａを介してサーバ１２に伝送され、蓄積される。サーバ１２に蓄積された情報データ信号は、伝送線１４ａ、各ハブ１３a、伝送線１４ｂ、１４ｃ、ハブ１３ｂ、１３ｃ、伝送線１４ｄ〜１４ｉを介してＬＡＮ機器Ｐ１、Ｐ２、・・・、Ｐｊへ伝送され、ＬＡＮ機器Ｐ１〜Ｐｉにおいて相互に情報交換ができるようになっている。上述の作動は各端末９２〜９ｉにおいても同様に行われる。
【００１２】
【発明が解決しようとする課題】
しかしながら、このようなＬＡＮ設備を併設したインターホン装置をビルまたはマンションで使用する場合、通話信号の送受、セキュリテー機能の信号を伝送する伝送線１０とは別に、ＬＡＮ機能の情報データ信号の送受を行うためＬＡＮ機器Ｐ１、Ｐ２、・・・、Ｐｊとハブ１３ｂまたは１３ｃ、ハブ１３ｂ及び１３ｃとハブ１３ａ、ハブ１３ａとサーバ１２とを接続する伝送線１４a〜１４ｉが必要となり、配線が複雑となりコストがかかるという難点があった。
【００１３】
本発明は、一系統の伝送線によって通話機能、セキュリティー機能、ＬＡＮ機能の信号の送受を可能とし、ＬＡＮ設備を設置するコストを下げ、更に、インターホン側からもＬＡＮ機器に接続できる付加価値の高いインターホン装置を提供すること及び通話信号の送受を行う配線が切断された場合、ＬＡＮ配線に切替えて接続し、通話機能とセキュリティー機能を確保できる信頼性の高いインターホン装置を提供することを目的とする。
【００１４】
【課題を解決するための手段】
このような目的を達成するため、本発明のインターホン装置は、主装置を介して、インターホン親機と端末の間で、データを送受信し、通話などの機能を実現するインターホン装置であって、インターホン装置とＬＡＮ設備を統合化して、端末内のＬＡＮインターフェースで、ＬＡＮ機器を接続すると共に、端末内のインターホン子機回路をＬＡＮ設備に接続して、相互に情報交換を可能にし、主装置と端末間を４対８芯ケーブルのうちの一方の２対４芯ケーブルで接続し、他の２対４芯ケーブルを主装置と端末のＬＡＮインターフェース間のＬＡＮ配線として使用し、主装置と端末間の２対４芯ケーブルが断線または短絡して主装置と端末間の回線が切断されたときＬＡＮ配線を主装置と端末間の２対４芯ケーブルのバックアップとして切替える切替回路を備えたものである。
【００１５】
このような本発明のインターホン装置によれば、端末内に設けられるＬＡＮインターフェースにＬＡＮ機器を接続し、一方、インターホン装置の主装置に各ＬＡＮ機器とＬＡＮ配線によって接続されるサーバを接続し、サーバにおいてＬＡＮ機器からの情報データの蓄積、制御を行い、ＬＡＮ機器相互間で情報交換を可能としたものである。このため、インターホン装置と統合化してＬＡＮ設備を設けることができ、設備の簡素化を図り、配線の簡素化を可能とすると共に、設置を容易とし、効率化を図ることができる。
【００１６】
更に、端末と主装置、主装置と親機が接続される配線とＬＡＮ配線とを切替えて接続する切替回路を設けたため、インターホンの配線が切断した場合、ＬＡＮ配線をバックアップとして使用することができ、信頼性の高いインターホン装置とすることができる。
【００１７】
【発明の実施の形態】
以下、本発明によるインターホン装置の好ましい実施の形態例について、図面を参照して説明する。
【００１８】
本発明のインターホン装置は、インターホン機能、セキュリティー機能、ＬＡＮ機能を備えたものであり、図１に示すように、インターホン装置には、通話信号の送受を行うと共に、セキュリティー装置のセンサ等を備えた端末３１〜３ｊと、端末３１〜３ｊにそれぞれハブ１５を介して接続されるＬＡＮ機器Ｐｓ１〜Ｐｓｊ（図３において示す各端末に接続される個々のＬＡＮ機器Ｐｃａ〜Ｐｃｎを一括してＰｓ１〜Ｐｓｊとして示す。）と、端末３１〜３ｊの呼出しを行うインターホン親機６と、インターホン親機６と端末３１〜３ｊ間に設けられる主装置１と、中継器２１、２２とが設けられる。主装置１は、インターホン親機６と端末３１〜３ｊ間の呼出の制御、端末３１〜３ｊ間の通話の制御、端末３１〜３ｊのセンサからの検知信号を入力しセキュリティー装置の制御を行うものである。中継器２１、２２は、複数の端末３１〜３ｊをブロックに分割し、ブロック毎に主装置１との間に設けられ、順次信号を中継再生する。
【００１９】
更に、インターホン装置には、サーバ７が主装置１に接続されて設けられる。サーバ７は、各端末３１〜３ｊにハブ１５を介して接続されるＬＡＮ機器Ｐｓ１〜Ｐｓｊからの情報データ信号を蓄積し、ＬＡＮ機器へ情報データを送信し、制御を行うＬＡＮ設備の一部をなすものである。
【００２０】
このような主装置１、中継器２１、２２、端末３１〜３ｊ間は伝送線によって渡り配線で接続される。即ち、主装置１と中継器２１、中継器２１と中継器２２とは伝送線４１、４２によって渡り配線で接続され、中継器２１と端末３１、端末３１と端末３２はそれぞれ伝送線５１、５２によって渡り配線で接続され、以下、端末３２、・・・、３ｉは順次伝送線５３、・・・、５ｉによって渡り配線で接続されている。同様に、中継器２２と端末３（ｉ＋１）、端末３（ｉ＋１）と端末３（ｉ＋２）はそれぞれ伝送線５（ｉ＋１）、５（ｉ＋２）により渡り配線で接続され、以下端末３（ｉ＋２）、・・・、３ｊは順次伝送線５（ｉ＋２）、・・・、５ｊにより渡り配線で接続されている。
【００２１】
このようなインターホン装置の中継器２１は、図２に示すように、主装置１側の伝送線４１と接続され、主装置１と通信を行う伝送回路２ａと、中継器２２側の伝送線４２と接続され、中継器２２と通信を行う伝送回路２ｂと、端末３１側の伝送線５１に接続され、端末３１と通信を行う伝送回路２ｃと、伝送回路２ａに伝送回路２ｂまたは２ｃを切替えて接続するための切替回路２ｄとが備えられる。尚、中継器２２も、同様の構成となっている。
【００２２】
また、端末３１は、図３に示すように、中継器２１側の伝送線５１に接続され、中継器２１と通信を行う伝送回路３ａと、隣接する端末３２側の伝送線５２に接続され、端末３２と通信を行う伝送回路３ｂと、インターホン親機６と通話を行うためのインターホン子機回路３ｃと、伝送回路３ａに伝送回路３ｂとインターホン子機回路３ｃとを切替えて接続する切替回路３ｆとが備えられる。インターホン子機回路３ｃにはセキュリティ装置の各種センサ３ｄが接続される。セキュリティ装置は、例えば、火災報知器、ガス漏れ報知器、施錠、解錠を検出する防犯報知器等であり、センサ３ｄには、これらの火災センサ、ガス漏れセンサ、防犯センサ等が含まれる。
【００２３】
更に、切替回路３ｆにはＬＡＮを実現するためのＬＡＮインターフェース３ｅが接続され、ＬＡＮインターフェース３ｅには、ＬＡＮ設備の一部をなすハブ１５を介して情報データ信号の送受を行うＬＡＮ機器Ｐｃａ〜Ｐｃｎが接続される。
【００２４】
尚、他の端末３２〜３ｊも上述の端末３１と、同様の構成である。
【００２５】
また、各装置間を接続する伝送線４１、４２、５１〜５ｊは、図４に示すように、４対８芯ケーブル１７で構成される。ケーブル１７は２つの２対４芯ケーブルからなり、一方の２対４芯ケーブル１６ａは、主装置１と、端末３１〜３ｉのインターホン子機回路３ｃとを中継器２１、２２を介して接続し、通話信号、セキュリティー装置の検出信号、制御信号を伝送する通話及びセキュリティーケーブルである。他方の２対４芯ケーブル１６ｂは、主装置１と、端末３１〜３ｉのＬＡＮインターフェース３ｅ間を中継器２１、２２を介して接続し、ＬＡＮの情報データ信号を伝送するＬＡＮケーブルである。
【００２６】
次に、本発明のインターホン装置における機能について説明する。
【００２７】
先ず、インターホン機能について説明する。
【００２８】
インターホン親機６において、端末３１に対して呼出操作を行うと、インターホン親機６から主装置１へ呼出コマンドが送出される。呼出コマンドは主装置１から伝送線４１の通話及びセキュリティーケーブル１６ａを伝送され中継器２１の伝送回路２ａに受信され、伝送回路２ａに切替回路２ｄによって伝送回路２ｃが接続される。呼出コマンドは伝送線５１の通話及びセキュリティーケーブル１６ａを伝送され、端末３１の伝送回路３ａにおいて受信され、伝送回路３ａに切替回路３ｆによってインターホン子機回路３ｃが接続され、インターホン子機回路３ｃから呼出音が鳴動される。呼出に対して応答をすると、インターホン子機回路３ｃから応答コマンドが送出され、応答コマンドは、切替回路３ｆ、伝送回路３ａ、伝送線５１の通話及びセキュリティーケーブル１６ａ、中継器２１の伝送回路２ｃ、切替回路２ｄ、伝送回路２ａ、伝送線４１の通話及びセキュリティーケーブル１６ａを伝送され、主装置１に受信される。応答コマンドが主装置１に受信されると、主装置１から、通話コマンドがインターホン親機６へ送出されると共に、端末３１へ上述の伝送路を介して送出され、通話路が形成され、通話信号の送受が行われる。終話については、インターホン親機６または端末３１の何れかが、終話コマンドを主装置１へ送出し、主装置１において終話コマンドが受信されると、主装置１から他方のインターホン親機６または端末３１へ終話コマンドが送出されることによって終話される。上述の動作は各端末３２〜３ｊにおいて同様に行われる。
【００２９】
次に、セキュリティー機能について説明する。
【００３０】
一つの端末３１〜３ｊのセンサ３ｄにおいて、火災、ガス漏れ等が検出されると、検出信号がインターホン子機回路３ｃへ出力され、インターホン子機回路３ｃが切替回路３ｆによって伝送回路３ａに接続され、検出信号は上述の通話信号の送受と同様の経路によって、通話及びセキュリティーケーブル１６ａを伝送され主装置１に受信される。主装置１からインターホン親機６、当該端末３１〜３ｊへ検出信号に相当した制御信号が出力され、親機６、当該端末３１〜３ｊに接続されるセキュリティー装置の報知手段等へ出力され、セキュリティー装置の報知手段において、警報音を鳴動させ、表示灯を点滅させる等の作動により、異常を報知する。
【００３１】
次に、ＬＡＮ機能について説明する。
【００３２】
端末３１のＬＡＮインターフェース３ｅにハブ１５を介してＬＡＮ機器Ｐｃａ〜Ｐｃｎから情報データ信号が出力されると、ＬＡＮインターフェース３ｅが切替回路３ｆによって伝送回路３ａに接続され、情報データ信号は伝送回路３ａから伝送線５１のＬＡＮケーブル１６ｂを伝送され、中継器２１の伝送回路２ｃに入力される。伝送回路２ｃが切替回路２ｄによって伝送回路２ａに切替えられて接続されると、情報データ信号は伝送線４１のＬＡＮケーブル１６ｂを伝送されて主装置１に受信される。更に、主装置１からサーバ７へ情報データ信号は送出され、サーバ７において蓄積される。他の端末３２〜３ｊのＬＡＮ機器Ｐｃａ〜Ｐｃｎからアクセスがあった場合、サーバ７に蓄積されたデータはＬＡＮケーブル１６ｂを介して伝送される。上述の動作は他の端末３２〜３ｊにおいても同様に行われる。このため、各端末３１〜３ｊのＬＡＮ機器Ｐｃａ〜Ｐｃｎの相互間で情報交換を行うことができる。
【００３３】
更に、通話及びセキュリティーケーブル１６ａが何らかの理由により断線し、主装置１において、断線、短絡等の異常が検出された場合、異常が生じた部分の上流側と下流側の中継器２１、２２、あるいは端末３１〜３ｊの切替回路２ｄ、３ｆにおいて、切断が生じていないＬＡＮケーブル１６ｂを通話及びセキュリティーケーブル１６ａに接続する。このため、インターホン子機回路３ｃについて優先的に伝送経路が確保され、インターホン子機３ｃに接続される優先度の高いセキュリティー装置のセンサ３ｄからの検出信号や、通話信号の送受を可能とする。このためＬＡＮケーブル１６ｂがバックアップとして使用され、セキュリティー機能、インターホン機能が保証される。
【００３４】
上記説明は、本願発明の一実施例であって、本願発明はこれに限定されず、中継器の設置台数もこれに限定されず、セキュリティー機器もこれらに限定されるものではない。
【００３５】
【発明の効果】
以上の説明から明らかなように、本発明のインターホン装置によれば、端末内にＬＡＮインターフェースを設け、ＬＡＮインターフェースを介してＬＡＮ機器と、その情報の制御を行うサーバを接続したため、インターホン装置と統合化してＬＡＮ設備を設けることができ、設備の簡素化を図り、配線の簡素化を可能とすると共に、設置を容易とし、効率化を図ることができる。また、インターホン側からもＬＡＮ機器に接続できるようにして付加価値の向上を図り、更に、インターホンケーブルとＬＡＮケーブルをそれぞれ別個のケーブルによって接続し、ケーブルの接続を切替える切替回路を設けたため、インターホンケーブルが切断した場合、ＬＡＮケーブルをバックアップとして切替えることができ、信頼性の高いインターホン装置とすることができる。
【図面の簡単な説明】
【図１】  本発明のインターホン装置の一実施例を示すブロック図。
【図２】  本発明のインターホン装置の中継器を示すブロック図。
【図３】  本発明のインターホン装置の端末を示すブロック図。
【図４】  本発明のインターホン装置のケーブルを示す斜視図。
【図５】  従来のインターホン装置を示すブロック図。
【符号の説明】
１・・・主装置
２ｄ、３ｆ・・・切替回路
３１〜３ｊ・・・端末
３ｃ・・・インターホン子機回路
３ｅ・・・ＬＡＮインターフェース
７・・・サーバ（ＬＡＮ設備）
１５・・・ハブ
１６ａ、１６ｂ・・・２対４芯ケーブル
１７・・・４対８芯ケーブル
Ｐｃａ〜Ｐｃｎ（Ｐｓ１〜Ｐｓｊ）・・・ＬＡＮ機器
【図１】
0004342077.tif 000002
【図２】
0004342077.tif 000003
【図３】
0004342077.tif 000004
【図４】
0004342077.tif 000005
【図５】
0004342077.tif 000006